(57)【要約】      （修正有）【課題】夜間の交通整理や各種イベントの応援等に用いられる発光表示スティックは、単なる発光のみではなく、視覚的残像効果によって空間に文字やパターンを表示する各種試みが為されている。しかし、スティックの振り方や振る速度によって文字やパターンが歪んでしまい、視認できなくなる場合がある。このような問題に鑑み、スティックの振り方や振る速度に関係なく視認し易い空間文字を表示でき、且つイベント時の応援にも適した発光表示スティックを実現する。【解決手段】発光表示スティック１においては、スティック中に振り角度センサを内蔵し、基準角度からの振り角情報によって発光素子５を発光させることにより歪の少ない文字やパターンを空間表示すると共に発光素子全体を発光させるモードに切り替え可能とし、より使い易く効果的な発光表示を行う。【選択図】図１
2013200323.tif 000002
【特許請求の範囲】
【請求項１】
光透過型カバーを有する長尺基板に略直線状に配置した複数個の発光素子を備えた発光表示スティック（棒）において、該発光素子を点灯するための点灯駆動部と各発光素子の点灯を制御するマイクロコンピュータおよびスティックの任意の基準角度からの角度を検出する角度センサ及び各発光素子の点灯データを収納するメモリを備え、角度センサからの角度情報により前記メモリから点灯データを引き出し発光素子を点灯することを特徴とする発光表示スティック。
【請求項２】
請求項１の発光表示スティックにおいて、前記角度センサからの角度情報により前記メモリから点灯データを引き出し前記発光素子を点灯する文字表示モードと、角度に関係なく前記発光素子を全点灯させるモードとを切り替え表示できることを特徴とする発光表示スティック。
【請求項３】
請求項２記載の発光表示スティックにおいて、前記文字表示モードでは表示できる文字やパターンの種類、前記全点灯モードでは点灯色や点滅の種類を選択できることを特徴とする発光表示スティック。
【請求項４】
請求項１乃至３のいずれか１項記載の発光表示スティックにおいて、前記発光素子を細長い基板の表裏両側に装備して両面を同時または別々のモードにて点灯できることを特徴とする発光表示スティック。
【請求項５】
請求項１乃至４のいずれか１項記載の発光表示スティックにおいて、前記発光素子として１つの素子に異なる発光を呈する発光ダイオードを用いることを特徴とする発光表示スティック。
【請求項６】
請求項１乃至４のいずれか１項記載の発光表示スティックにおいて、外部よりメモリデータを書き込み及び書き換え可能とし、書き込み及び書き換えのためのインタフェース部を更に備えることを特徴とする発光表示スティック。
【発明の詳細な説明】
【技術分野】
【０００１】
本発明は、発光ダイオード（以下、「ＬＥＤ」とも表記する。）のような発光素子を用いた表示装置に関するものである。
【背景技術】
【０００２】
通常、道路工事や事故発生時の道路で交通整理を行う場合、車両の停車／進行を指示するためにスティック（棒）を用いている。当該スティックは、夜間においては、視認を確実にするため中空のプラスチック製とし、内部に豆球や発光ダイオードを組み込み、点灯して用いている。しかし、前記の停車／進行の指示は、スティックの振り方や支持方法を変えることによって行っているため、操作者の個人差によって多少異なり、分かり難く判断し辛いという問題がある。
【０００３】
また、近年、室内のコンサートや夜間の各種野外集会などのイベントに、発光ステイック（棒）を振って応援することが多い。当該発光スティックとしては、化学反応で発光する物質を樹脂製のスティックに収納した小型のスティックを用いることが多いが、このスティックを使用後廃棄すると環境汚染を引き起こすという問題がある。また、化学反応による発光は発光時間が短く、再使用が難しいという問題もある。更に、単に発光しているだけのスティックを振っているだけではイベントの応援を盛り上げるには面白みに欠ける。
【０００４】
上述したような問題点を解決するため、種々の技術が開示されている。
【０００５】
特許文献１には、スティック中に赤と緑の発光ダイオード（ＬＥＤ）を複数直線状に配置して赤色或いは緑色に点灯させている。このようにすると赤色点灯のときは停車、緑色点灯のときは進行と、色の違いにより指示を分かり易くしている。しかし、点灯色の違いによる指示は普遍的に定まったものではなく、停車／進行にかかわる積極的な指示表示の技術開示はなされていない。また、イベント時の応援に使用するような点灯表示の面白みも考慮されていない。
【０００６】
特許文献２では、残像効果を利用して文字又は絵を表示するメッセージ表示玩具の技術開示がなされている。当該技術は、棒状のスティック本体に沿って発光ダイオード（ＬＥＤ）を配列し、このＬＥＤ群を点滅させる複数の点滅パターンによってＬＥＤを点滅させ、スティックを左右に振ることにより視覚的な残存効果によって絵又は文字テキストを表示するものである。これがうまく表示できれば、交通整理やイベント時に効果を発揮できるであろう。
【０００７】
しかし、前記の点滅タイミングは、内蔵されたタイマ回路によって行っているため、スティックの左右の振り方の往復時間や振り速度を一定に合わせるのが難しく、振り方によっては表示文字が途切れてしまったり裏文字或いは文字が詰まったり伸びてしまい判別できなくなってしまう。
【０００８】
特許文献３は、特許文献２と同じく、スティックの長手方向に配列したＬＥＤを、マイクロコントローラチップのメモリから文字表示データを読み出して点滅させ、当該スティックを振ることにより視覚的残存効果によって文字を表示する技術が開示されている。しかし、点滅タイミングの明確なる技術が開示されておらず、回路ブロック図のクロック発生回路の表示から推察すると、特許文献２と同じくスティックの振り方の速度やタイミングを合わせるのが大変難しく、振り方によっては表示文字が途切れたり裏文字となり、判別ができなくなってしまう。
【０００９】
特許文献４では、スティックの長手方向に配列したＬＥＤを、マイクロコンピュータのメモリから文字表示データを読み出して点滅させ、当該スティックを振ることにより視覚的残存効果によって文字を表示する技術は同じであるが、上述のような文字表示の不具合を防ぐため、タイミングスケジュールを制御するためのタイミング起点決定、タイミング長短決定のための移動方向センサ、加速度センサを備える技術が開示されている。これらの技術により裏文字になることは防止できるが、加速度センサによって速度を決めているため、スティックを振る速度を一定に保たないと表示文字が欠けてしまうことがある。更に、スティックを振っているとき、途中で振る速度が変わると文字の途中が間延びしたり詰まったり歪んで読み取りにくくなる場合が生ずる。
【先行技術文献】
【特許文献】
【００１０】
【特許文献１】実開平８−４３２号公報
【特許文献２】特開２００５−２３０３９７号公報
【特許文献３】特開２００５−６２７７９号公報
【特許文献４】特開平６−６０２９５号公報
【非特許文献】
【００１１】
【非特許文献１】http://www.watty.co.jp/products/sensor/ha-101.html
【発明の概要】
【発明が解決しようとする課題】
【００１２】
前述のように、複数の発光素子を組み込んだスティックは広く用いられているが、より視認し易く、またイベント等で使用するために目立つ表示を行うことが課題である。更に、視覚的残存効果によって、より視認し易くするために文字表示を行う技術もあるが、見易い表示を行うためには、スティックの振り方が大変難しいという課題がある。
【課題を解決するための手段】
【００１３】
上記のような各課題を解決するための本発明に係る発光表示スティックは、（請求項１）の如く、複数の発光素子を長手方向に装備したスティック中に角度センサと基準角度設定スイッチを装備し、一定の角度変化ごとにメモリから点灯データを読み出して各ＬＥＤを点灯させる。
【００１４】
また、（請求項２）の如く、スティックを左右に振って視覚的残像効果によって文字を表示するモードと、全ＬＥＤを常時点灯または間欠点灯する全点灯モードに切り替え可能としてもよい。
【００１５】
更に、（請求項３）の如く、セレクト（選択）スイッチを設け、前記の文字表示モードでは表示文字や表示パターンの種類を選択し、全点灯モードでは点灯色や点滅の種類を選択できるようにしてもよい。
【００１６】
更に、（請求項４）の如く、セレクト（選択）スイッチを設け、前記の文字表示モードでは表示文字や表示パターンの種類を選択し、全点灯モードでは点灯色や点滅の種類を選択できるようにしてもよい。
【００１７】
また、（請求項５）の如く、発光素子を細長い基板の表裏両側に装備して片面を文字表示モードとして点灯させ、他面を全点灯モードとして動作、或いは両面を文字表示モードあるいは両面を全点灯モードとして動作させるようにしてもよい。
【００１８】
さらに（請求項６）の如く、スティックにコネクターを設け、外部のパソコンや携帯電話と接続し、メモリのデータを書き換えることができるようにしてもよい。
【発明の効果】
【００１９】
以上、説明したように、従来は、夜間でも視認できるよう発光体或いは発光素子を封入した発光スティックを用いて交通整理やイベント時の応援を行っていた。例えば、交通整理時を例にとると、従来は発光スティックのかざし方や振り方によって車両の停車／進行の合図を送っていたが、本発明に係る発光表示スティックを用いることにより発光はもちろん、スティックを文字表示モードとして振り、（トマレ）、（ススメ）のような文字を表示させることにより具体的な指示を行うことができるため、車両側にもはっきり視認でき、交通整理の安全性をより向上させることができる。さらに、多色ＬＥＤを用いることにより、例えば（トマレ）を赤色表示に、（ススメ）を緑色表示にすれば、更に視認性を向上させることができる。
【００２０】
一方、特許文献２、３で説明したような表示スティックでは表示される文字が欠けてしまったり裏文字になってしまう場合がある。また、特許文献４ではスティックを振る速度を一定にしないと文字が欠けたり文字途中が伸びたり縮んだりして視認が難しくなってしまうことがあったが、本発明に係る文字表示スティックでは、スティックを一定角度以上振ってやるだけで速度には関係なく文字全体を正確に表示することができるという効果がある。
【００２１】
また、イベント時の応援等を例に取ると、本発明に係る発光表示スティックを用いることにより従来行っていたスティック全体を発光させる全点灯モードとして振ることもできるし、イベントの内容に合わせて発光色を変えるといった新しい応援もできる。更に、文字表示モードに変えて（ステキ！）や（ガンバレ）等のコメントを表示して応援することができるためプレーヤーと観客とのコミュニケーションを一段と増すことができる。さらに、交通整理と同様に文字コメントに合せて発光色を変えても新しい効果が生まれる。
【００２２】
本発明に係る発光表示スティックを応援に使用する例においては、その表示文字をユーザがパソコンや携帯電話を介して書き換えられるため、使用する場面に応じてもっとも相応しいと思われる文字を表示したり発光色や発光シーケンスを変えることができ、同じ本発明に係る発光表示スティックを複数の人が使用していてもそれぞれ異なった応援方法ができるという効果がある。
【００２３】
上記効果に加えて、本発明に係る文字表示スティックの応用として長尺基板の両面発光素子を配置して片面を文字表示モード、他面を全点灯モードとして、両面を点灯してやれば、例えばイベント会場でプレーヤには文字表示で激励、全点灯で会場観客を盛り上げるという同時効果が得られる。もちろん両面を文字表示モードあるいは全点灯モードとしても新しい効果が期待できる。
【図面の簡単な説明】
【００２４】
【図１】本発明に係る発光表示スティックの一実施例の概略図である。
【図２】本発明に係る発光表示スティックの一実施例のブロックダイヤグラムである。
【図３】本発明に係る発光表示スティックの一実施例の文字データ格納状態の説明図である。
【図４】本発明に係る発光表示スティックの一実施例の文字表示状態である。
【図５】本発明に係る発光表示スティックによって文字表示を行う説明図である。
【発明を実施するための形態】
【００２５】
以下、図面を参照して本発明の実施形態を説明する。なお、以下では本発明の目的を達成するための説明に必要な範囲を模式的に示し、本発明の該当部分の説明に必要な範囲を主に説明することとし、説明を主略する箇所については公知技術によるものとする。
【００２６】
図１は、本発明の一実施形態に係る発光表示スティック１の外観図である。文字表示スティック１は、取っ手２に結合された基板３と同じく取っ手２と結合され基板３を覆うカバー４から構成される。基板３の表側Ａには発光ダイオードやランプのような５−１、５−２、５−３、・・・・、５−ｎから構成される複数の発光素子５が長手方向に装備されている。カバー４は、発光素子の発光を透過する素材で作られている。
【００２７】
図１の取っ手２には電池２６（図示せず）が収納されており、電池収納蓋９で固定されている。また、取っ手２の側面には文字表示のスタート角度を設定するためのスタートボタン６と電源ＯＮ／ＯＦＦ及び文字表示モードと全点灯モードとを切り替えるモード切替スイッチ７と表示文字の種類を選択したり全点灯の発光色を選択するセレクトスイッチ８及びパソコンや携帯電話との接続をするためのインタフェースコネクタ１０（図１ではコネクターカバーが付いた状態）が備えられている。
【００２８】
図２は、本発明の一実施形態に係る発光表示スティック１のブロックダイヤグラムである。クロック発生部２５によって駆動されるマイクロコンピュータ（「μＣＰＵ」と略）２０は、角度センサ２４からの角度情報によりメモリ部２１の当該アドレスの表示データを読み出し、表示素子点灯ドライバを介して、表示データに従って基板３に装着された当該表示素子ＬＥＤ−１、ＬＥＤ−２、・・・・、ＬＥＤ−ｎを点灯させる。メモリ部２１には複数の表示文字データ、表示色データ及び表示素子全点灯時の表示色データ、点滅パターンデータが格納されている。
【００２９】
また、μＣＰＵ２０は、インタフェース部２３を介して電源・モード切替スイッチ７、セレクトスイッチ８、スタートボタン６、インタフェースコネクタ１０と接続され、電源のＯＮ／ＯＦＦ、文字表示モードと全点灯モードの切り替え、文字表示のスタート指示、パソコンや携帯電話とのデータ交換を行う。さらに、前記説明の各部には電池２６から電源が供給される。
【００３０】
図２のブロック図の各部について、表示素子５−１、５−２、・・・、５−ｎは小型電球や発光ダイオードで構成されるが、高輝度で３色素子搭載の表面実装型（ＳＭＤ）発光ダイオードで構成されることが望ましい。また、後述の図５のような文字表示状態においては、角度センサ２４は、非特許文献１のごとき重力方向基準の角度センサが好適である。なお、２１~２６の各部と６〜９は、図１で説明した取っ手２の中に収められている。
【００３１】
図３は、メモリ部２１に格納される文字表示データ格納状態の一例を示す図である。図３においては、本発明の一実施形態に係る発光表示スティック１を扇形に０〜６０度振って文字を表示する場合を例にとっている。メモリ部２１のアドレス区分は、例えばＸ軸の角度、図３では０〜９０度までを２度ごとに、Ｙ軸は発光素子５−１、５−２、・・・、５−ｎまでとする。すなわち、μＣＰＵ２０は角度センサからの角度情報により当該Ｙ座標のＬＥＤ−、ＬＥＤ−２、・・・、ＬＥＤ−ｎのデータを読み取って、例えば図３の塗りつぶし部に相当する発光素子を点灯する。これらの文字表示データは図２のインタフェースコネクタ１０を介してパソコン或いは携帯電話と接続し、それらのキーボードによって任意の文字データを書き込み或いは書き換えることができる。以上の説明ではデータとして点灯するかしないかの場合を説明したが、メモリーアドレスを多重とし、例えば点灯データ２１−１および表示色データ２１−２、２１−３、・・・、２１−ｎと構成しても良いことは自明である。
【００３２】
これらの文字表示データ等は図２のインタフェースコネクタ１０を介してパソコン或いは携帯電話と接続し、それらのキーボードによって任意の文字データおよび全点灯データを書き込み或いは書き換えることができる。
【００３３】
図４は、本発明の一実施形態に係る発光表示スティック１を、上記の説明のように振った場合の文字表示例を示す図である。図４では表示面いっぱいに文字を表示した例であるが、文字大きさを小さくして２段に表示したり、簡単な画像を表示することもできるのは自明である。
【００３４】
図５は、本発明の一実施形態に係る発光表示スティック１を用いて文字表示を行う場合の説明図である。まず、文字を表示したい角度（図５の例では左端）に発光表示スティック１をかざし、表示開始スタートボタンを押す、発光表示スティック１を右に振っていくと次々に発光素子が発光し、眼には残像が残って空間に文字が表示されていく。図３の説明を例に取れば、発光表示スティック１が右に６０度振られたところで表示文字が全部表示される（図５の例では「トマレ」）。６０度を超えて振られてもメモリには６０度までのデータしか収納されていないので発光素子が発光することはない。
【００３５】
６０度或いはそれ以上の角度振られた発光表示スティック１は、今度は左に振られて、６０度から最初の設定角度０度のほうに、図５の例ではトマレのレの右から逆に空間文字を表示していき、裏文字を表示することはない。このように本発明に係る発光表示スティックを用いれば設定角度範囲かそれを超える角度振っていれば、振り角ごとに発光素子が発光するため、振り速度が一定でなくとも表示文字が縮んだり伸びたりすることなく、正常に視認し易く表示される。
【００３６】
図１では、本発明の一実施形態に係る発光表示スティックとして基板３のＡ側のみに発光素子５を装備した例について説明してきたが、発光素子をＢ側にも装備し、Ａ側を文字表示モード、Ｂ側を全点灯モード或いはＡ，Ｂ両側を共に表示モード或いは共に全点灯モードとすることもできる。
【００３７】
以上、説明してきたように、本発明に係る発光表示スティックを用いれば、使用状況に応じて、交通整理用の合図灯スティックやイベント時の応援発光スティックとして用いることができ、更に文字表示と全他円筒モードを切り替えることにより、より視認し易く使用環境にマッチした発光表示を行うことができる。また、簡単に操作できて歪の少ない文字表示は、聴覚不自由な方の伝達補助として用いることもできる。
【産業上の利用可能性】
【００３８】
以上、説明してきたように、本発明に係る発光表示スティックを用いれば、使用状況に応じて、交通整理用の合図灯スティックやイベント時の応援発光スティックとして用いることができ、更に文字表示と全他円筒モードを切り替えることにより、より視認し易く使用環境にマッチした発光表示を行うことができる。また、簡単に操作できて歪の少ない文字表示は、聴覚不自由な方の伝達補助として用いることもできる。
【００３９】
また、本発明に係る発光表示スティックは、発光合図灯や応援具あるいは玩具としての活用や宣伝媒体或いは言語障害者の伝達補助具としても用いることができ、各種産業に対して大きな有益性をもたらすものである。
【符号の説明】
【００４０】
１…本願発光表示スティック、２…取っ手、３…基板、４…カバー、５（５−１、５−２、・・・、５−ｎ）…発光素子、６…スタートボタン、７…モード切り替えスイッチ、８…セレクトスイッチ、９…電池収納蓋、１０…インタフェースコネクタ、２０…マイクロコンピュータ（μＣＰＵ）、２１（２１−１、２１−２、・・・、２１−ｎ）…メモリ部、２２…点灯ドライバ部、２３…インタフェース部、２４…角度センサ部、２５…クロック発生部、２６…電池
【図２】
2013200323.tif 000003
【図１】
2013200323.tif 000004
【図３】
2013200323.tif 000005
【図４】
2013200323.tif 000006
【図５】
2013200323.tif 000007
【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
複数個の発光素子を備えた発光表示スティック（棒）において、該発光素子を点灯するための点灯駆動部と各発光素子の点灯を制御するマイクロコンピュータと基準角度設定スイッチと角度センサ及び各発光素子の点灯データを収納するメモリを備え、角度センサからの角度情報により前記メモリから点灯データを引き出し発光素子を点灯することを特徴とする発光表示スティック。
【請求項２】
請求項１の発光表示スティックにおいて、前記角度センサからの角度情報により前記メモリから点灯データを引き出し前記発光素子を点灯する文字表示モードと、角度に関係なく前記発光素子を全点灯させるモードとを切り替え表示できることを特徴とする発光表示スティック。
【請求項３】
請求項２記載の発光表示スティックにおいて、前記文字表示モードでは表示できる文字やパターンの種類、前記全点灯モードでは点灯色や点滅の種類を選択できることを特徴とする発光表示スティック。
【請求項４】
請求項１乃至３のいずれか１項記載の発光表示スティックにおいて、前記発光素子を基板の表裏両側に装備して両面を同時または別々のモードにて点灯できることを特徴とする発光表示スティック。
【請求項５】
請求項１乃至４のいずれか１項記載の発光表示スティックにおいて、前記発光素子として１つの素子に異なる発光を呈する発光ダイオードを用いることを特徴とする発光表示スティック。
【請求項６】
請求項１乃至４のいずれか１項記載の発光表示スティックにおいて、外部よりメモリデータを書き込み及び書き換え可能とし、書き込み及び書き換えのためのインタフェース部を更に備えることを特徴とする発光表示スティック。